(57)【要約】【課題】  配置位置の制限を受けにくいコア削孔用ガイドを提供する。【解決手段】  コア削孔用ガイド３は、被削孔物１をコア削孔するためのコアビット２をガイドするものであって、被削孔物１に取付け固定されてコアビット２の内周をガイドするようにそのコアビット２の内側に配される。このコア削孔用ガイド３は、円板状に形成されたガイド本体３０１を備え、そのガイド本体３０１に、コア１ａを識別する識別表示を付すための識別表示領域３ａが設けられている。【選択図】  図３
2019001043.tif 000002
【特許請求の範囲】
【請求項１】
被削孔物をコア削孔するためのコアビットをガイドする、コア削孔用ガイドであって、
前記被削孔物に取付け固定されて前記コアビットの内周をガイドするようにそのコアビットの内側に配される、コア削孔用ガイド。
【請求項２】
コア削孔によって得られるコアを識別する識別表示を付すための識別表示領域が設けられている、請求項１に記載のコア削孔用ガイド。
【請求項３】
前記被削孔物に付された位置表示マークに合わせるための、目印が設けられている、請求項１または２に記載のコア削孔用ガイド。
【請求項４】
前記コアビットの内周をガイドするガイド本体を備え、そのガイド本体は、円板状に形成されている、請求項１ないし３のいずれか１項に記載のコア削孔用ガイド。
【発明の詳細な説明】
【技術分野】
【０００１】
この発明は、被削孔物をコア削孔するにあたって、コアビットをガイドするコア削孔用ガイドに関するものである。
【背景技術】
【０００２】
従来、例えば舗装面のアスファルトコアを採取するにあたって、コアビットをガイドする補助具（コア削孔用ガイド）があった（例えば、特許文献１参照）。図６に示すように、この補助具１１は、電動ドリル１２の回転軸１２ａに取り付けられたコアビット１３の外周をガイドするガイドリング１１ａと、そのガイドリング１１ａから延設された足掛け部１１ｂとを備えていた。
【先行技術文献】
【特許文献】
【０００３】
【特許文献１】特開平９−１００６９１号公報
【発明の概要】
【発明が解決しようとする課題】
【０００４】
しかし、前記従来の補助具１１（コア削孔用ガイド）あっては、コアビット１３の外周をガイドすることから、そのコアビット１３よりも周囲に広がった形状となっていた。このため、補助具１１を配置するにあたって、補助具１１が周囲の突出部等と干渉することがないよう、その配置位置が制限された。
【０００５】
この発明は、上記した従来の欠点を解決するためになされたものであり、その目的とするところは、配置位置の制限を受けにくいコア削孔用ガイドを提供することにある。
【課題を解決するための手段】
【０００６】
この発明に係るコア削孔用ガイドは、前記目的を達成するために、次の構成からなる。すなわち、
請求項１に記載の発明に係るコア削孔用ガイドは、被削孔物をコア削孔するためのコアビットをガイドする、コア削孔用ガイドであって、前記被削孔物に取付け固定されて前記コアビットの内周をガイドするようにそのコアビットの内側に配される。
【０００７】
このコア削孔用ガイドによると、コア削孔用ガイドは、コア削孔の対象となる被削孔物に取付け固定される。そして、コア削孔用ガイドは、コアビットの内側に配されてコアビットの内周をガイドする。このため、このコア削孔用ガイドは、被削孔物上で、コアビットの外側に広がることがない。
【０００８】
また、請求項２に記載の発明に係るコア削孔用ガイドは、請求項１に記載のコア削孔用ガイドにおいて、コア削孔によって得られるコアを識別する識別表示を付すための識別表示領域が設けられている。このコア削孔用ガイドは、コアビットの内側に配され、被削孔物に固定されることから、コアは、コア削孔用ガイドが付着した状態で採取される。そこで、コア削孔用ガイドの識別表示領域に、コアを識別する識別表示を付しておけば、コアそのものに識別表示を付す必要がない。
【０００９】
また、請求項３に記載の発明に係るコア削孔用ガイドは、請求項１または２に記載のコア削孔用ガイドにおいて、前記被削孔物に付された位置表示マークに合わせるための、目印が設けられている。
【００１０】
また、請求項４に記載の発明に係るコア削孔用ガイドは、請求項１ないし３のいずれか１項に記載のコア削孔用ガイドにおいて、前記コアビットの内周をガイドするガイド本体を備え、そのガイド本体は、円板状に形成されている。
【発明の効果】
【００１１】
この発明に係るコア削孔用ガイドによれば、コア削孔用ガイドは、コアビットの内側に配されることから、被削孔物上で、コアビットの外側に広がることがなく、配置位置の制限を受けにくい。
【図面の簡単な説明】
【００１２】
【図１】この発明の一実施の形態の、コア削孔用ガイドを示し、（ａ）は、平面図、（ｂ）は、正面図である。
【図２】同じく、コア削孔用ガイドを被削孔物に固定した状態を示す平面図である。
【図３】同じく、コアビットを被削孔物に当てた状態を示す断面図である。
【図４】同じく、図３におけるＡ−Ａ線による断面図である。
【図５】同じく、採取したコアを示す正面図である。
【図６】従来の補助具を用いたコア削孔を示す、一部切欠き正面図である。
【発明を実施するための形態】
【００１３】
以下、この発明に係るコア削孔用ガイドを実施するための形態を図面に基づいて説明する。
【００１４】
図１〜図５は、本発明の一実施の形態を示す。図中符号１は、コンクリート構造物等からなる被削孔物を示す。２は、前記被削孔物１をコア削孔するためのコアビットを示す。３は、前記被削孔物１をコア削孔するにあたって、前記コアビット２をガイドするコア削孔用ガイドを示す。
【００１５】
コアビット２は、ドリル（図示せず）に取り付けられて回転することで、被削孔物１をコア削孔するものであって、円筒状に形成され、先端に刃２ａを備える（図３、図４参照）。そして、コア削孔の過程で、コアビット２の内部に、被削孔物１のコア１ａが収容される。
【００１６】
コア削孔用ガイド３は、被削孔物１に取付け固定されてコアビット２の内周をガイドするようにそのコアビット２の内側に配される。そして、このコア削孔用ガイド３には、コア削孔によって得られるコア１ａを識別する識別表示３ｘを付すための識別表示領域３ａが設けられている。また、このコア削孔用ガイド３には、被削孔物１に付された位置表示マーク１ｘに合わせるための、目印３ｂが設けられている（図２参照）。
【００１７】
具体的には、コア削孔用ガイド３は、コアビット２の内周をガイドするガイド本体３０１を備えている。そして、ガイド本体３０１は、例えば合成樹脂からなり、円板状に形成されている。そこで、このガイド本体３０１に、前記識別表示領域３ａが設けられ、また、前記目印３ｂが設けられる。また、図示実施の形態においては、このガイド本体３０１（ひいては、コア削孔用ガイド３）に、コア１ａを採取した日時３ｙを付すための日時表示領域３ｃが設けられている。
【００１８】
また、コア削孔用ガイド３は、前記ガイド本体３０１の他に、そのガイド本体３０１を被削孔物１に取付け固定するための取付け固定手段としての両面粘着テープ３ｄを備えている。詳細には、両面粘着テープ３ｄは、ガイド本体３０１の裏面に貼り合わされ、この両面粘着テープ３ｄを介して、ガイド本体３０１、ひいてはコア削孔用ガイド３は、被削孔物１に貼り付けられる。
【００１９】
次に、以上の構成からなるコア削孔用ガイド３の作用効果について説明する。このコア削孔用ガイド３によると、コア削孔用ガイド３は、コア削孔の対象となる被削孔物１に取付け固定される。そして、コア削孔用ガイド３は、コアビット２の内側に配されてコアビット２の内周をガイドする。こうして、このコア削孔用ガイド３は、コアビット２の内側に配されることから、被削孔物１上で、コアビット２の外側に広がることがなく、配置位置の制限を受けにくい。このため、被削孔物１における必要な位置のコア１ａを的確に採取することができる。
【００２０】
また、コア削孔用ガイド３（詳しくは、ガイド本体３０１）には、コア削孔によって得られるコア１ａを識別する識別表示３ｘを付すための識別表示領域３ａが設けられている。そこで、このコア削孔用ガイド３は、コアビット２の内側に配され、被削孔物１に固定されることから、コア１ａは、コア削孔用ガイド３が付着した状態で採取される（図５参照）。そのため、コア削孔用ガイド３の識別表示領域３ａに、コア１ａを識別する識別表示３ｘを付しておけば、コア１ａそのものに識別表示を付す必要がない。
【００２１】
また、コア削孔用ガイド３は、コアビット２の内側に配されてコア１ａとともに採取されることから、従来のコアビットの外周をガイドする補助具とは異なり、コア削孔した後に、コア削孔用ガイド３を撤去する必要がない。また、このコア削孔用ガイド３は、コアビット２の内側に配されることから、小型軽量であり、取り扱いが容易となる。
【００２２】
また、コア削孔用ガイド３（詳しくは、ガイド本体３０１）には、被削孔物１に付された位置表示マーク１ｘに合わせるための、目印３ｂが設けられている。このため、このコア削孔用ガイド３を被削孔物１に取付け固定するにあたって、被削孔物１の位置表示マーク１ｘに、目印３ｂを合わせることで、このコア削孔用ガイド３を被削孔物１の意図した位置に正確に固定することができ、その位置のコア１ａを的確に採取することができる。
【００２３】
なお、本発明は、上述した実施の形態に限定されるわけではなく、その他種々の変更が可能である。例えば、被削孔物１は、コンクリート以外に、モルタル、アスファルト、タイルあるいは木材等からなる、構造物とか構造体とか構築・建築物とか、さらには道路、駐車場等の施設その他の削孔の対象となるものであってもよい。
【００２４】
また、ガイド本体３０１（コア削孔用ガイド３）は、両面粘着テープ３ｄにより被削孔物１に取付け固定されるが、他に、接着剤とかアンカー等によって被切削物１に取付け固定されてもよい。
【００２５】
また、ガイド本体３０１は、円板状に形成されているが、その円板の周縁に上方に突出するリブが設けられてもよい。また、ガイド本体３０１は、円板状に形成されなくとも、例えば円環状に形成されてもよい。
【００２６】
また、目印は、被削孔物に付された位置表示マークに合わせることができるものであればよく、ライン、矢印等の他に、例えば中心位置にあけた孔であってもよい。
【符号の説明】
【００２７】
１  被削孔物
１ａ  コア
１ｘ  位置表示マーク
２  コアビット
３  コア削孔用ガイド
３０１  ガイド本体
３ａ  識別表示領域
３ｂ  目印
３ｘ  識別表示
【図１】
2019001043.tif 000003
【図２】
2019001043.tif 000004
【図３】
2019001043.tif 000005
【図４】
2019001043.tif 000006
【図５】
2019001043.tif 000007
【図６】
2019001043.tif 000008